(57)【要約】【課題】  把持力が弱かったり指に十分な筋力が無かったりする入院患者でも握り押ボタン式子機の押ボタンを押下することなく操作できるようにする。【解決手段】  握り押ボタン式子機１０の押ボタン１１上に配置された筐体１ａ内の空間１ｂに、一方の磁極が押ボタン１１に対向するように第１の磁石２を配置し、他方の磁極が表面に配置されるように第２の磁石１０１を取り付けた装着具１００を筐体１ａに近づけて第１の磁石２が押ボタン１１の押下方向に移動した際に押ボタン１１を押圧するガイド部３を設けるようにしているので、操作具１００を筐体１ａの上面に近づけると、第１の磁石２と第２の磁石１０１とが反発し、この反発力によりガイド部３が押ボタン１１を押下するので、入院患者は、手などに装着した操作具１００をアタッチメント１に近づけるだけで、押ボタン１１を操作できる。【選択図】        図３
2007234228.tif 000002
【特許請求の範囲】
【請求項１】
ナースコール装置に接続される握り押ボタン式子機に装着されて押ボタンの操作を介助するアタッチメントであって、
一方の磁極及び他方の磁極を有する第１の磁石と、
前記前記押ボタン上に配置されるように前記握り押ボタン式子機の胴部に装着され、前記第１の磁石の一方の磁極が前記押ボタンに対向し、前記第１の磁石の前記他方の磁極から前記一方の磁極に向かう方向が前記押ボタンの押し込み方向となり、前記一方の磁極及び前記他方の磁極の並ぶ方向に移動可能となるように前記第１の磁石を内蔵する空間を有する筐体と、
前記第１の磁石と前記押ボタンとの間に存在し、前記他方の磁極と同一の磁極を表面に配置する第２の磁石を取り付けた操作具を前記筐体に近づけた場合に、前記第１の磁石と前記第２の磁石との反発力により前記第１の磁石が前記筐体の空間内を前記押ボタンの押し込み方向に移動したときに、前記押ボタンを押圧するガイド部と、
を備える握り押ボタン用アタッチメント。
【請求項２】
ナースコール装置に接続される握り押ボタン式子機に装着されて押ボタンの操作を介助するアタッチメントであって、
一方の磁極及び他方の磁極を有する第１の磁石と、
前記前記押ボタン上に配置されるように前記握り押ボタン式子機の胴部に装着され、前記第１の磁石の一方の磁極が前記押ボタンに当接し、前記第１の磁石の前記他方の磁極から前記一方の磁極に向かう方向が前記押ボタンの押し込み方向となり、前記一方の磁極及び前記他方の磁極の並ぶ方向に移動可能となるように前記第１の磁石を内蔵する空間を有する筐体とを備え、
前記他方の磁極と同一の磁極を表面に配置する第２の磁石を取り付けた操作具を前記筐体に近づけた場合に、前記第１の磁石は、前記第１の磁石と前記第２の磁石との反発力により前記筐体の空間内を前記押ボタンの押し込み方向に移動して前記押ボタンを押圧することを特徴とする握り押ボタン用アタッチメント。
【発明の詳細な説明】
【技術分野】
【０００１】
本発明は、ナースコール装置に接続される握り押ボタン式子機に装着される握り押ボタン用のアタッチメントに関する。
【背景技術】
【０００２】
ナースコール装置に接続される握り押ボタン式子機は、必要に応じて医療従事者を呼び出せるように入院患者に個別に割り当てられている。握り押ボタン式子機は、掌に納まる胴部と、この胴部の端部に設けられた押ボタンとを有している。従って、握り押ボタン式子機を片手で操作する場合、押ボタンは、親指で操作される。
【０００３】
ところで、把持力が弱い入院患者のために、握り押ボタン式子機を掌の中に保持しておくためのナースコールホルダが特許文献１に開示されている。このナースコールホルダを装着した握り押ボタン式子機は、親指で押ボタンを操作するように構成されている。
【特許文献１】特開２００５−５８４５５号公報
【０００４】
しかしながら、前述した特許文献１を含む従来の技術では、入院患者の把持力が弱い場合には、親指の筋力も相対的に低下していることが多いので、親指で押ボタンを押すことが困難になってしまうという問題点があった。また、握り押ボタン式子機は、親指で操作することが前提となって造られているものが多いので、他の４本の指に十分な筋力があっても、操作しづらくなってしまうという問題点があった。
【発明の開示】
【発明が解決しようとする課題】
【０００５】
本発明は、このような問題を解決するために成されたものであり、把持力が弱かったり指に十分な筋力が無かったりする入院患者でも握り押ボタン式子機の押ボタンを押下することなく操作できるようにすることを目的とする。
【課題を解決するための手段】
【０００６】
本発明に係る握り押ボタン用のアタッチメントは、握り押ボタン式子機の押ボタン上に配置された筐体内の空間に、一方の磁極が押ボタンに対向するように第１の磁石を配置し、他方の磁極が表面に配置されるように第２の磁石を取り付けた装着具を筐体に近づけて第１の磁石が押ボタンの押下方向に移動した際に押ボタンを押圧するガイド部を設けるようにしている。
【発明の効果】
【０００７】
上記のように構成した本発明によれば、操作具を筐体の上面に近づけると、筐体内の第１の磁石と操作具に取り付けた第２の磁石とが反発し、この反発力が押しボタンを押下する方向に第１の磁石を移動させ、それに伴ってガイド部により押ボタンが押下されるので、入院患者は、手などに装着した操作具を押ボタンに装着したアタッチメントに近づけるだけで、押ボタン式子機の押ボタンを押下することなく操作することができる。したがって、把持力が弱かったり指に十分な筋力が無かったりする入院患者でも押ボタン式子機の押ボタンを操作することができる。
【発明を実施するための最良の形態】
【０００８】
以下、本発明の一実施形態を図面に基づいて説明する。図１は、本実施形態に係る握り押ボタン用アタッチメント１を握り押ボタン式子機１０に装着した状態を示す断面図である。このアタッチメント１は、図２に示すような外観をしており、握り押ボタン式子機１０に装着される。ここで、握り押ボタン式子機１０は、ナースコール装置に接続される子機の一形態である。また、握り押ボタン式子機１０は、押ボタン１１と胴部１０ａと端部１０ｂと基部１０ｃとコード１２とを備えている。
【０００９】
胴部１０ａは、利用者が握りやすいように、かつ、清拭性を考慮して、滑らかな外形を有している。押ボタン１１は、コード１２が延びる端部１０ｂの反対側の基部１０ｃに表面を露出している。ここで、押ボタン１１は、基部１０ｃから端部１０ｂに向かって押ボタン１１を押し込むことにより操作可能である。また、押ボタン１１を押し込んでいない状態では、押ボタン１１の取り付け位置に設けた図示しないバネなどにより押ボタン１１は、元の位置に戻るようになっている。
【００１０】
アタッチメント１は、特に、入院患者が握り押ボタン式子機１０に設けられた押ボタン１１を操作することを介助するためのものである。また、アタッチメント１は、筐体１ａと第１の磁石２とガイド部３とを備える。また、筐体１ａ内には、第１の磁石２を図１中上下方向に移動できるような空間１ｂが形成されている。また、筐体１ａの端部には、握り押ボタン式子機１０の基部１０ｃにアタッチメント１を装着するための接続部１ｃが形成されている。ここで、筐体１ａは、軟質材料により形成されており、接続部１ｃを基部１０ｃに容易に装着することができる。
【００１１】
ここで、第１の磁石２及びガイド部３の重量により押ボタン１１にかかる力は、押ボタン１１を元の位置に戻すための図示しないバネの力よりも小さいものとする。なお、筐体１ａを硬質材料により形成し、接続部１ｃを可動式の爪などにより形成するようにしても良い。また、ガイド部３を磁石により構成し、第１の磁石として形成するようにしても良い。
【００１２】
筐体１ａは、接続部１ｃにより握り押ボタン式子機１０に固定されている。第１の磁石２は、一方の磁極（例えばＮ極）が図１中下方に位置し、他方の磁極（例えばＳ極）が図１中上方に位置するように、筐体１ａ内の空間１ｂ内に収納されている。ガイド部３は、第１の磁石２の一方の磁極（例えばＮ極）の先端に接続されており、筐体１ａの空間１ｂ内に一部が収納されており、筐体１ａの空間１ｂから外部に一部が突出している。また、ガイド部３の第１の磁石２に接続されていない側の面は、押ボタン１１に当接している。
【００１３】
この状態で、第１の磁石２の一方の磁極（例えばＮ極）は、ガイド部３を介して押ボタン１１に対向している。ここで、第１の磁石２は、筐体１ａ内の空間１ｂ内に図１中下方に移動できるようになっている。
【００１４】
一方、図３に示すように、ゴムや革などにより形成された環状のバンドの外側の面に第２の磁石１０１を取り付けた操作具１００は、入院患者の手首などに固定されて使用される。ここで、第２の磁石１０１は、前述した他方の磁極（例えばＳ極）を外側に向けてバンドに装着されている。
【００１５】
以上のように構成された握り押しボタン用アタッチメント１に操作具１００を筐体１ａの上面から近づけることで、第２の磁石１０１と第１の磁石２とが反発し、この反発力により第１の磁石２が押ボタン１１を押し込む方向へ付勢される。そして、第１の磁石の移動によりガイド部３が押ボタン１１を押し込む方向へ付勢される。これにより、握り押ボタン式子機１０の押ボタン１１が操作される。ここで、操作具１００が筐体１ａから離れると、押ボタン１１の取り付け位置に設けた図示しないバネなどにより押ボタン１１は、元の位置に戻るようになっている。
【００１６】
従って、握り押ボタン式子機１０にこのアタッチメント１が装着されていれば、入院患者は、アタッチメント１の筐体１ａの上面から操作具１００を近づけることで、押ボタン１１を親指で押すのと同じように操作することができる。これにより、把持力が弱かったり指に十分な筋力が無かったりする入院患者でも押ボタン式子機１０の押ボタン１１を操作することができる。また、第１の磁石２を筐体１ａ内に収納し、ガイド部３のみを押ボタン１１の方向に突出させているので、第１の磁石２が筐体１ａから脱落しない。従って、握り押ボタン式子機１０にアタッチメント１を装着し易くなる。
【００１７】
なお、前述した実施形態では、第１の磁石２と押ボタン１１との間にガイド部３が介在しているが、これに限定されない。例えば、図４に示すように、アタッチメント２１内に第１の磁石２２のみを収納するようにしても良い。これにより、第１の磁石２２をアタッチメント２１内に容易に収納することができる。また、アタッチメント２１の外形寸法を小型化することができる。
【００１８】
また、前述した実施形態では、第１の磁石２及び第２の磁石１０１を使用して反発力を得ているが、これに限定されない。例えば、電磁石を利用するようにしても良い。
【００１９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２０】
【図１】本実施形態による握り押ボタン用アタッチメントを握り押ボタン式子機に装着した状態を示す断面図である。
【図２】本実施形態による握り押ボタン用アタッチメントの外観を示す図である。
【図３】本実施形態による握り押ボタン用アタッチメントに操作具を近づけた状態を示す断面図である。
【図４】本実施形態の変形例に係る握り押ボタン用アタッチメントを握り押ボタン式子機に装着した状態を示す断面図である。
【符号の説明】
【００２１】
１，２１    アタッチメント
１ａ    筐体
１ｂ    空間
１ｃ    接続部
２，２２    第１の磁石
３    ガイド部
１０    握り押ボタン式子機
１１    押ボタン
【図１】
2007234228.tif 000003
【図２】
2007234228.tif 000004
【図３】
2007234228.tif 000005
【図４】
2007234228.tif 000006